(57)【特許請求の範囲】
【請求項１】
ラセミ体の有機金属錯体（１）
ＲＭＸ２                    （１）
［式（１）において、Ｒは１〜１０個の窒素、ケイ素、リン、酸素もしくは硫黄および／または１〜５０個の炭素で構成される２座配位子であり、Ｍは周期表で４族に属する元素を表し、Ｘは周期表で１７族に属する元素、炭素数１〜５のアルキル基もしくはアルコキシ基、アミノ基または炭素数１〜１０のアルキル化されたアミノ基を表す］
に、２座配位が可能な化合物（２）
Ｒ´Ｈ２                    （２）
［式（２）において、Ｈは水素を表し、Ｒ´は１〜１０個の窒素、酸素もしくは硫黄および／または１〜５０個の炭素で構成される２座配位子である］
から誘導される金属塩
［この場合、金属塩の金属部位は周期表で１族に属する元素である］
を反応させることにより得られる有機金属錯体（３）
ＲＭＲ´                    （３）
を、担体に光学活性物質を担持させることにより形成される固定相を用いて、光学分割することを特徴とする分離法。
【発明の詳細な説明】
【０００１】
【発明の属する技術分野】
本発明は、キネティック分割法を用いたラセミ体の有機金属錯体の光学分割において、より簡便かつ高純度で行う光学分割法に関する。
【０００２】
【従来の技術】
近年の製品開発の高度な精密化に伴い、生理活性な医薬、農薬あるいは石油化学製品等を高い（光学）純度で製造することは、極めて重要な製造技術となっている。それら生理活性な（光学活性な）製品を製造する際に、光学的に純粋な有機金属化合物を触媒として用いることは、不斉誘導を行う（製造物の中間体等の構造中に不斉部位を新しく形成させ、光学活性な物質のみを得る）工程の革新的な短縮化をもたらし、結果として製品をより安価に供給することが可能になる（光学活性体の分離（日本化学会編、季刊化学総説  Ｎｏ．６）参照）。
【０００３】
これまで光学的に純粋な有機金属錯体を得る手段としては、もっぱらラセミ体の有機金属化合物をキネティック分割する手法（ｋｉｎｅｔｉｃ  ｒｅｓｏｌｕｔｉｏｎ）を用いて行われてきた（Ｊｏｕｒｎａｌ  ｏｆ  Ｏｒｇａｎｏｍｅｔａｌｌｉｃ  Ｃｈｅｍｉｓｔｒｙ，２３２巻，２３３〜２４７ページ（１９８２年）参照）。キネティック分割法では、ラセミ体の有機金属錯体を光学活性化合物と反応させた後、シリカゲルあるいはアルミナ等の無機担体を用いた通常のクロマトグラフ法などにより光学活性な錯体を単離していたが、分離作業等に多くの工程を必要とするなどの欠点があった。
【０００４】
【発明が解決しようとする課題】
本発明は、上記従来技術であるキネティック分割法を用いたラセミ体の有機金属錯体の光学分割をより簡便かつ高純度で行う、極めて効率的な光学分割法を提供するものである。
【０００５】
【課題を解決するための手段】
本発明者らは、鋭意検討した結果、極めて効率的な光学分割法を発明するに至った。
【０００６】
すなわち本発明は、ラセミ体の有機金属錯体（１）
ＲＭＸ２                    （１）
［式（１）において、Ｒは１〜１０個の窒素、ケイ素、リン、酸素もしくは硫黄および／または１〜５０個の炭素で構成される２座配位子であり、Ｍは周期表で４族に属する元素を表し、Ｘは周期表で１７族に属する元素、炭素数１〜５のアルキル基もしくはアルコキシ基、アミノ基または炭素数１〜１０のアルキル化されたアミノ基を表す］
に、２座配位が可能な化合物（２）
Ｒ´Ｈ２                    （２）
［式（２）において、Ｈは水素を表し、Ｒ´は１〜１０個の窒素、酸素もしくは硫黄および／または１〜５０個の炭素で構成される２座配位子である］
から誘導される金属塩
［この場合、金属塩の金属部位は周期表で１族に属する元素である］
を反応させることにより得られる有機金属錯体（３）
ＲＭＲ´                    （３）
を、担体に光学活性物質を担持させることにより形成される固定相を用いて、光学分割することを特徴とする分離法に関する。
【０００７】
以下、本発明についてさらに詳細に説明する。
【０００８】
式（１）の中で、Ｒは１〜１０個の窒素、ケイ素、リン、酸素もしくは硫黄および／または１〜５０個の炭素で構成される２座配位子を意味し、Ｍはチタン、ジルコニウムまたはハフニウムで表される周期表４族の元素を意味し、Ｘは式（１）に必ず２個含まれ、好ましくはフッ素、塩素、臭素またはヨウ素で表される周期表１７族の元素であるが、炭素数１〜５のアルキル基もしくはアルコキシ基、アミノ基および炭素数１〜１０のアルキル化されたアミノ基であってもよい。
【０００９】
式（１）で表される化合物としては、メチルエチルメチレン（インデニル）（２−メチルインデニル）チタニウムジクロライド、メチルエチルメチレン（インデニル）（２−メチルインデニル）ジルコニウムジクロライド、メチルエチルメチレン（インデニル）（２−メチルインデニル）ハフニウムジクロライド、メチルエチルシランジイル（インデニル）（２−メチルインデニル）チタニウムジクロライド、メチルエチルシランジイル（インデニル）（２−メチルインデニル）ジルコニウムジクロライド、メチルエチルシランジイル（インデニル）（２−メチルインデニル）ハフニウムジクロライド、メチルフェニルシランジイル（インデニル）（２−メチルインデニル）チタニウムジクロライド、メチルフェニルシランジイル（インデニル）（２−メチルインデニル）ジルコニウムジクロライド、メチルフェニルシランジイル（インデニル）（２−メチルインデニル）ハフニウムジクロライド、エチレンビス（インデニル）チタニウムジクロライド、エチレンビス（インデニル）ジルコニウムジクロライド、エチレンビス（インデニル）ハフニウムジクロライド、エチレンビス（テトラヒドロインデニル）チタニウムジクロライド、エチレンビス（テトラヒドロインデニル）ジルコニウムジクロライド、エチレンビス（テトラヒドロインデニル）ハフニウムジクロライド、ジクロロチタニウム（メチルエチルメチレン）（シクロペンタジエニル）メチルアミド、メチルエチルメチレン（シクロペンタジエニル）（フルオレニル）チタニウムジクロライド、メチルエチルメチレン（シクロペンタジエニル）（フルオレニル）ジルコニウムジクロライド、メチルエチルメチレン（シクロペンタジエニル）（フルオレニル）ハフニウムジクロライド、メチルフェニルメチレン（シクロペンタジエニル）（フルオレニル）チタニウムジクロライド、メチルフェニルメチレン（シクロペンタジエニル）（フルオレニル）ジルコニウムジクロライド、メチルフェニルメチレン（シクロペンタジエニル）（フルオレニル）ハフニウムジクロライド、メチルフェニルシランジイル（シクロペンタジエニル）（オクタヒドロフルオレニル）チタニウムジクロライド、メチルフェニルシランジイル（シクロペンタジエニル）（オクタヒドロフルオレニル）ジルコニウムジクロライド、メチルフェニルシランジイル（シクロペンタジエニル）（オクタヒドロフルオレニル）ハフニウムジクロライド、メチルフェニルシランジイル（シクロペンタジエニル）（テトラヒドロフルオレニル）チタニウムジクロライド、メチルフェニルシランジイル（シクロペンタジエニル）（テトラヒドロフルオレニル）ジルコニウムジクロライド、メチルフェニルシランジイル（シクロペンタジエニル）（テトラヒドロフルオレニル）ハフニウムジクロライド、メチルフェニルメチレン（シクロペンタジエニル）（オクタヒドロフルオレニル）チタニウムジクロライド、メチルフェニルメチレン（シクロペンタジエニル）（オクタヒドロフルオレニル）ジルコニウムジクロライド、メチルフェニルメチレン（シクロペンタジエニル）（オクタヒドロフルオレニル）ハフニウムジクロライド、ジクロロジルコニウム（メチルエチルシランジイル）（シクロペンタジエニル）メチルアミド、ジクロロハフニウム（メチルエチルシランジイル）（シクロペンタジエニル）メチルアミド、ジクロロチタニウム（メチルエチルメチレン）（シクロペンタジエニル）メチルアミド、ジクロロジルコニウム（メチルエチルメチレン）（シクロペンタジエニル）メチルアミド、ジクロロハフニウム（メチルエチルメチレン）（シクロペンタジエニル）メチルアミド、ジクロロチタニウム（メチルエチルメチレン）（テトラメチルシクロペンタジエニル）メチルアミド、ジクロロジルコニウム（メチルエチルメチレン）（テトラメチルシクロペンタジエニル）メチルアミド、ジクロロハフニウム（メチルエチルメチレン）（テトラメチルシクロペンタジエニル）メチルアミド、ジクロロチタニウム（メチルエチルメチレン）（テトラメチルシクロペンタジエニル）ｔ−ブチルアミド、ジクロロジルコニウム（メチルエチルメチレン）（テトラメチルシクロペンタジエニル）ｔ−ブチルアミド、ジクロロハフニウム（メチルエチルメチレン）（テトラメチルシクロペンタジエニル）ｔ−ブチルアミド、ジクロロチタニウム（メチルフェニルメチレン）（テトラメチルシクロペンタジエニル）ｔ−ブチルアミド、ジクロロジルコニウム（メチルフェニルメチレン）（テトラメチルシクロペンタジエニル）ｔ−ブチルアミド、ジクロロハフニウム（メチルフェニルメチレン）（テトラメチルシクロペンタジエニル）ｔ−ブチルアミド等のラセミ体である有機金属化合物等が例示できるが、Ｒにケイ素、窒素の他にリン、ホウ素、酸素が含まれているもの、または置換されているものでもよい。また、その他例示したもの以外でも式（１）で表される構造をもった有機金属錯体であれば当然適用範囲に入る。また、式（１）で表される構造をより明確に例示するために、以下にそれらの例を示した。
【００１０】
【化１】
0003572326.tif 000002
【００１１】
次に本発明では、式（１）で表されるラセミ体である有機金属錯体の光学分割を容易にするために、これら式（１）で表される有機金属錯体と式（２）で表される２座配位子由来の化合物の金属塩とを反応させて、式（３）で表される有機金属錯体を得る。
【００１２】
この際、式（２）の中で、Ｈは水素を表し、Ｒ´は１〜１０個の窒素、酸素もしくは硫黄および／または１〜５０個の炭素で構成される２座配位子を意味する。
【００１３】
式（２）で表される化合物としては、１，１´−バイ−２−ナフトール、１，１´−バイナフチル−２，２´−ジアミン、２，２´−バイフェノール、２，２´−ジアミノビフェニル、２，２´−ビス（Ｎ−メチルアミノ）ビフェニル、１，１´−バイ−２−チオナフトール、２，２´−バイチオフェノール、ビス（２−ヒドロキシフェニル）メタン、ビス（２−アミノフェニル）メタン等が挙げられるが、これら例示される化合物に限定されるものではない。
【００１４】
また、式（２）で表される２座配位子から誘導される金属塩は、有機溶媒中、−１００〜５０℃、より好ましくは−７８℃〜室温の温度で、窒素あるいはアルゴン下に、メチルリチウム、イソブチルリチウム、ｎ−ブチルリチウム、ｔ−ブチルリチウム、水素化ナトリウム、リチウム、ナトリウムまたはカリウム等を用いて、式（２）で表される２座配位子を反応させることにより得られる。
【００１５】
この時、使用される溶媒は不活性溶媒が好ましく、特に好ましくは十分に窒素あるいはアルゴン下で脱水乾燥されたジエチルエーテル、テトラヒドロフラン、トルエン、ｎ−ペンタン、ｎ−ヘキサン、石油エーテル、リグロイン等またはそれらの任意の量比からなる混合溶媒が用いられる。
【００１６】
得られた金属塩と式（１）との反応により、式（１）のＸが式（２）  のＲ´で置き換わった式（３）で表される有機金属化合物を得る。式（３）で表される有機金属化合物への変換は、有機溶媒中、−１００〜５０℃、より好ましくは−７８℃〜室温で、式（１）で表される有機金属化合物と先に述べた２座配位子由来の金属塩とを反応させることにより達成される。この際、使用される溶媒は不活性溶媒が好ましく、さらに好ましくは十分に窒素あるいはアルゴン下で脱水乾燥されたジエチルエーテル、テトラヒドロフラン、トルエン、ｎ−ペンタン、ｎ−ヘキサン、石油エーテル、リグロイン等またはそれらの任意の量比の混合溶媒が用いられる。
【００１７】
得られた式（３）で表される有機金属錯体は、担体に光学活性物質を担持させることにより形成される固定相（キラル固定相（ｃｈｉｒａｌ  ｓｔａｔｉｏｎａｒｙ  ｐｈａｓｅ））を用いたクロマト法により、光学分割を行う。この際、用いられるクロマト法は、液体クロマトグラフィーが好ましく、より好ましくは高速液体クロマトグラフィー（ＨＰＬＣ）である。
【００１８】
また、光学分割用に用いられるキラル固定相として、例えば、ダイセル社のセルローストリアセテート（ＣＨＩＲＡＬＣＥＬ  ＯＡ）、セルローストリベンゾエート（ＣＨＩＲＡＬＣＥＬ  ＯＢ）、セルローストリス（４−メチルベンゾエート）（ＣＨＩＲＡＬＣＥＬ  ＯＪ）、セルローストリシンナメート（ＣＨＩＲＡＬＣＥＬ  ＯＫ）、セルローストリアセテート（ＣＨＩＲＡＬＣＥＬ  ＯＡ）、セルローストリスフェニルカルバメート（ＣＨＩＲＡＬＣＥＬ  ＯＣ）、セルローストリス（４−クロロフェニルカルバメート）（ＣＨＩＲＡＬＣＥＬ  ＯＦ）、セルローストリス（４−メチルフェニルカルバメート）（ＣＨＩＲＡＬＣＥＬ  ＯＧ）、セルローストリス（３，５−ジメチルフェニルカルバメート）、（ＣＨＩＲＡＬＣＥＬ  ＯＤ）、アミローストリス（３，５−ジメチルフェニルカルバメート）（ＣＨＩＲＡＬＰＡＫ  ＡＤ）、アミローストリス（（Ｓ）−１−フェニルエチルカルバメート）（ＣＨＩＲＡＬＰＡＫ  ＡＳ）、（＋）−ポリメタクリル酸トリフェニルメチル（ＣＨＩＲＡＬＰＡＫ  ＯＴ）、（＋）−ポリメタクリル酸ジフェニル−２−ピリジルメチル（ＣＨＩＲＡＬＰＡＫ  ＯＰ）等が挙げられるが、本発明においては不斉識別を行えるキラル固定相であれば特に制限なく用いることができる。
【００１９】
また、液体クロマトグラフィーにおいて用いられる溶媒としては、脱気精製された石油エーテル、ｎ−ペンタン、ｎ−ヘキサン、トルエン、酢酸エチル、クロロホルム、塩化メチレン、四塩化炭素、テトラヒドロフラン、ジオキサン、アセトニトリル、アセトン、エタノール、メタノール、イソプロピルアルコール、水等またはそれらの任意の量比の混合溶媒系が用いられる。
【００２０】
以下に、ラセミ体の有機金属錯体を光学分割した実施例を挙げるが、本発明はこれらの実施例に限定されるものではない。
【００２１】
【実施例】
参考例
有機金属錯体ラセミ−（エチレンビス（テトラヒドロインデニル）ジルコニウムジクロライド）の合成
１ｌのシュレンク管に、窒素下で１，２−ビス（３−インデニル）エタン（１９．４ｍｍｏｌ）のＴＨＦ溶液（２５０ｍｌ）を入れ、かき混ぜながら−７８℃に冷却した。ついで、ｎ−ブチルリチウムのヘキサン溶液（４２．５ｍｍｏｌ）を１５分間で滴下した。これに、別の５００ｍｌのシュレンク管のＺｒＣｌ４・２ＴＨＦ（１９．５ｍｍｏｌ）のＴＨＦ（２５０ｍｌ）溶液をステンレスカニュラを通して、激しくかき混ぜながら３時間で加えた。滴下終了後、塩化水素ガスを３０秒間吹き込み、溶媒を留去した。残留物をエーテル（１０ｍｌ）、４Ｎ−塩酸（１０ｍｌ）、エタノール（２０ｍｌ）、水（１０ｍｌ）、さらにエーテル（１０ｍｌ）を用いて、濾液が無色になるまで洗浄し、空気に安定なラセミ−（エチレンビスインデニル）ジルコニウムジクロライドが４５％の収率で得られた。
【００２２】
窒素下で２００ｍｌのオートクレーブ中へ、ラセミ−（エチレンビスインデニル）ジルコニウムジクロライド（１０ｍｍｏｌ）、ＰｔＯ２（０．４４ｍｍｏｌ）、ジクロロメタン（７０ｍｌ）を加えて、水素で７０ｋｇ／ｃｍ２まで加圧し、一晩攪拌した。余分な水素を除き、得られた反応混合物を窒素下で濾過するとほぼ無色の液体が得られた。その溶液を５０ｍｌまで減圧濃縮し、ヘキサン１０ｍｌを加えると白色の固体が得られた（収率７０％）。得られた固体は、１Ｈ−ＮＭＲよりラセミ−（エチレンビス（テトラヒドロインデニル）ジルコニウムジクロライド）と同定された。
【００２３】
0003572326.tif 000003
光学分割は、日本分光工業株式会社製のＨＰＬＣ装置（ＰＵ−９８０型（インテリジェントＨＰＬＣポンプ）、Ｊａｓｃｏ  ＵＶ−９７０型（インテリジェント紫外可視分光検出器）、Ｊａｓｃｏ  ＯＲ−９９０型（旋光度検出器））に、カラム（４．６ｍｍ×２５ｃｍ  ダイセル社製  ＣＨＩＲＡＬＣＥＬ  ＯＤ）を用いて行った。なお、分離状況は、３１８ｎｍの紫外光で追跡した。
【００２４】
実施例１
ラセミ−（エチレンビス（テトラヒドロインデニル）ジルコニウムジクロライド）からラセミ−（エチレンビス（テトラヒドロインデニル）ジルコニウムバイナフトレート）への変換
本反応は、全て十分に窒素下で乾燥された器具を用いて行った。５０ｍｌのシュレンク管に、３０ｍｌのｎ−ヘキサンとラセミ−１，１´−バイ−２−ナフトール（０．５ｍｍｏｌ）を加え、撹拌しながら０℃に冷却した後、１ｍｍｏｌのｎ−ブチルリチウムのヘキサン溶液をシリンジでゆっくりと加え、一晩撹拌した。翌日、その反応溶液を−７８℃に冷却し、あらかじめ−７８℃に冷却しておいたラセミ−（エチレンビス（テトラヒドロインデニル）ジルコニウムジクロライド）（１ｍｍｏｌ）のトルエン（３０ｍｌ）液を攪拌しながら、ステンレスカニュラを通してゆっくりと加えた。冷却バスを取り除き、攪拌しながら反応混合物の温度を室温まで自然昇温させた後、２時間撹拌した。溶媒を減圧下で取り除き、直径３ｃｍかつ高さ３ｃｍ位のアルミナを充填したカラムクロマトグラフィーで反応混合物を精製すると、目的物であるラセミ−（エチレンビス（テトラヒドロインデニル）ジルコニウムバイナフトレート）（０．８ｍｍｏｌ）を８０％の収率で得た。
【００２５】
ラセミ−（エチレンビス（テトラヒドロインデニル）ジルコニウムバイナフトレート）の光学分割
上記で得たラセミ−（エチレンビス（テトラヒドロインデニル）ジルコニウムバイナフトレート）を４５ｍＭベンゼン溶液としてＨＰＬＣで光学分割を行った（展開液：ｎ−ヘキサン／エタノール＝９／１；展開液の流速＝０．５ｍｌ／分）ところ、２つの分離したピークが現れ、最初のピークは正の旋光性を示し、２つめのピークは負の旋光性を示した（図１に結果を示す）。
【００２６】
ラセミ−（エチレンビス（テトラヒドロインデニル）ジルコニウムジクロライド）と（Ｒ）−ラセミ−１，１´−バイ−２−ナフトレートジリチウム塩から、従来法であるキネティック分割法を用いて得られた（Ｒ，Ｒ）−（エチレンビス（テトラヒドロインデニル）ジルコニウムバイナフトレートを標品として比較したところ、この標品が図１の２つめのピークの化合物と同定された。
【００２７】
実施例２
ラセミ−（エチレンビス（テトラヒドロインデニル）ジルコニウムバイフェノレート）の光学分割
ラセミ−（エチレンビス（テトラヒドロインデニル）ジルコニウムジクロライド）と２，２´−バイフェノールとの組み合わせにより、実施例１の手法に従ってラセミ−（エチレンビス（テトラヒドロインデニル）ジルコニウムバイフェノレート）を得た後、光学分割したところ図２に示す分離結果が得られた。
【００２８】
【発明の効果】
本発明によれば、極めて安価かつ簡便な操作で、有機金属錯体の光学分割をより高い光学純度で行うことができる。
【図面の簡単な説明】
【図１】実施例１で行ったＨＰＬＣによる光学分割結果を示す。
【図２】実施例２で行ったＨＰＬＣによる光学分割結果を示す。
【図１】
0003572326.tif 000004
【図２】
0003572326.tif 000005